(57)【要約】【解決手段】(a) 竹を素材とし、それを炭にした「竹炭」からなる粒子径１３μｍ程度の微粉末８ｗｔ％、(b) 溶剤としてのエタノール２５〜３５ｗｔ％、(c) 噴射剤として、ジメチルエーテル６〜２４ｗｔ％、液化石油ガス３６〜６４ｗｔ％を含有するスプレー組成物とする。【効果】  竹炭からなる粒子径１３μｍ程度の微粉末を溶剤および噴射剤とともにスプレー容器内に充填し、それらをスプレー容器から噴射させることにより、竹炭からなる粒子径１３μｍ程度の微粉末を頭皮、薄毛に吸着させることができ、長時間にわたって頭皮を黒く髪の毛を太く見せることができる。また、竹炭からなる粒子径１３μｍ程度の微粉末を頭皮、薄毛に付着させると、竹炭自身の抗菌性、消臭性により、頭皮や頭髪のケアに結び付く。【選択図】  なし【特許請求の範囲】
【請求項１】
少なくとも、
(a) 竹炭からなる粒子径１３μｍ程度の微粉末
(b) 溶剤
(c) 噴射剤
を含有することを特徴とする薄毛用スプレー組成物。
【請求項２】
溶剤が１価アルコールである請求項１記載の薄毛用スプレー組成物。
【請求項３】
噴射剤がジメチルエーテル、液化石油ガス、プロパン、ｎ−ブタンまたはそれらから選ばれた少なくとも１つ以上の混合物である請求項１記載の薄毛用スプレー組成物。
【請求項４】
ヘアースプレー用の樹脂が配合されていることを特徴とする請求項１〜３のいずれかに記載の薄毛用スプレー組成物。
【請求項５】
ヘアースプレー用の樹脂が（ポリビニルアルコール／酢酸ビニル）コポリマー、（アクリレート／アクリルアミド）コポリマー、セルロース系樹脂である請求項４記載の薄毛用スプレー組成物。
【請求項６】
分散剤が配合されていることを特徴とする請求項１〜５のいずれかに記載の薄毛用スプレー組成物。
【請求項７】
分散剤がソルビタン誘導体である請求項６記載の薄毛用スプレー組成物。
【請求項８】
スプレー組成物の分散安定性を向上させるために、シリコーン系界面活性剤が配合されていることを特徴とする請求項１〜７のいずれかに記載の薄毛用スプレー組成物。
【請求項９】
分散安定剤としてのシリコーン系界面活性剤が、ジメチコンコポリオール等のポリエーテル変性シリコーンである請求項８記載の薄毛用スプレー組成物。
【発明の詳細な説明】
【技術分野】
【０００１】
本発明は、薄毛の頭皮部に噴射剤とともに噴射することにより、頭皮を黒く髪の毛を太く見せることができるスプレー組成物に関するものである。
【背景技術】
【０００２】
頭髪の薄い部分に毛髪色の微小繊維あるいは粉末を付着させることにより、薄毛を目立たなくすることが行われている。そして、そのための微小繊維あるいは粉体もすでに開発されている（例えば、特許文献１または２参照）。
【特許文献１】特開平１１−１５８０３４号公報
【特許文献２】特開平８−２０５９２８号公報  また、微小繊維を噴射剤とともに噴射することができるようにしたスプレー組成物も開発されている（例えば、特許文献３参照）。
【特許文献３】特開平１１−１５８０３４号公報
【発明の開示】
【発明が解決しようとする課題】
【０００３】
ところが、上記特許文献１および３に示される「微小繊維」の繊維長さは０．０１〜１ｍｍ、繊維径は１〜１００μｍ、繊維長に対する繊維径の比が１０以上である。
また、特許文献２に示されるものも、粉体とはいうものの特許文献１および３の場合と同じような繊維状で、その長さも１ｍｍ前後であり、いずれも極めて長いものである。
【０００４】
このように、従来のものは繊維状の粒子であるから、それ自体で用いた場合には軽過ぎて薄毛の頭皮部にふりかけた時飛散しやすく、周囲を汚す。そして、この繊維状の粒子をヘアースプレーと静電気により頭皮、薄毛に付着・固定させるため、汗や雨などで流れ落ちやすい。
また、上述した繊維状の粒子を噴射剤とともにスプレー容器内に充填し、それらをスプレー容器から噴射することができるようにした場合（スプレー組成物の場合）には、繊維状の粒子自体を薄毛の頭皮部にふりかけた場合より飛散することは少ないが、繊維状の粒子が長過ぎるために疑似毛であると悟られやすい。
【０００５】
本発明は、このような欠点を解消することを目的とするもので、１ｍｍ前後の長さを有する従来の繊維状の粒子に代えて、竹炭からなる粒子径１３μｍ程度の微粉末を溶剤および噴射剤とともにスプレー容器内に充填し、それらをスプレー容器から噴射することができるようにしたものである。
【課題を解決するための手段】
【０００６】
上記目的を達成するために、本発明による薄毛用スプレー組成物には、少なくとも、
(a) 竹炭からなる粒子径１３μｍ程度の微粉末
(b) 溶剤
(c) 噴射剤
が含有されている。
【０００７】
ここに、「竹炭」とは竹を素材とし、それを炭にしたものをいい、それを粒子径１３μｍ程度の微粉末にしてある。そして、竹炭からなる粒子径１３μｍ程度の微粉末を溶剤および噴射剤とともにスプレー容器内に充填し、それらをスプレー容器から噴射させることにより、竹炭からなる粒子径１３μｍ程度の微粉末を頭皮、薄毛に吸着させることができ、長時間にわたって頭皮を黒く髪の毛を太く見せることができる。また、竹炭からなる粒子径１３μｍ程度の微粉末を頭皮、薄毛に付着させると、竹炭自身の抗菌性、消臭性により、頭皮や頭髪のケアに結び付く。
【０００８】
竹炭からなる粒子径１３μｍ程度の微粉末、溶剤、噴射剤の含有量は、それぞれ８ｗｔ％、２５〜３５ｗｔ％、４２〜８８ｗｔ％程度とすることが望ましい。竹炭からなる粒子径１３μｍ程度の微粉末の含有量が多過ぎたり、逆に、溶剤の含有量が少な過ぎると、スプレーノズルの目詰まりが生じ易くなる。また、噴射剤の含有量が少な過ぎると、竹炭からなる粒子径１３μｍ程度の微粉末の付着状態が湿っぽくなり、逆に、噴射剤の含有量が多過ぎると、スプレーノズルの目詰まりが生じ易くなるので、いずれも好ましくない。
【０００９】
溶剤として好ましいのは、噴射剤と相溶性の良い１価アルコールである。このようなアルコールとして、エタノール、メタノールなどを挙げることができる。溶剤の含有量は、２５〜３５ｗｔ％程度とすることが望ましい。溶剤の含有量が少な過ぎるとスプレーノズルの目詰まりが生じ易くなり、逆に、多過ぎると竹炭からなる粒子径１３μｍ程度の微粉末がべた付く。
【００１０】
噴射剤としては、ジメチルエーテル、液化石油ガス、プロパン、ｎ−ブタンまたはそれらから選ばれた少なくとも１つ以上の混合物を使用することができる。
【００１１】
ヘアースプレー用の樹脂を配合しておくことが好ましい。この樹脂が適量配合されていると、竹炭からなる粒子径１３μｍ程度の微粉末が髪に展着しやすく、風雨にも十分耐え得るものとなる。この樹脂の含有量は、１〜５ｗｔ％程度とすることが望ましい。この樹脂の含有量が少な過ぎると竹炭からなる粒子径１３μｍ程度の微粉末の髪への展着性が悪くなり、逆に、多過ぎると洗い落しにくくなる。
【００１２】
ヘアースプレー用の樹脂としては、従来から毛髪セット剤用の樹脂として知られているもの、例えば、（ポリビニルアルコール／酢酸ビニル）コポリマー、（アクリレート／アクリルアミド）コポリマー、セルロース系樹脂などを挙げることができる。
【００１３】
分散剤を配合しておくことが好ましい。竹炭パウダーのみでのスプレー化は竹炭からなる粒子径１３μｍ程度の微粉末の付着性が悪くなるので、それを防止するとともに、それらを溶剤および噴射剤とともにスプレー容器から目詰まりなくスムーズに噴射できるように、分散剤を適量添加する。分散剤の含有量は、０．２０〜１．００ｗｔ％程度とすることが望ましい。分散剤の含有量が少な過ぎると竹炭からなる粒子径１３μｍ程度の微粉末の分散性が低下して髪への付着性が悪く、逆に、多過ぎると竹炭からなる粒子径１３μｍ程度の微粉末がべた付く。
【００１４】
分散剤としては、ヤシ脂肪酸ソルビタン等のソルビタン誘導体を挙げることができる。
【００１５】
スプレー組成物の分散安定性を向上させるために、シリコーン系界面活性剤を配合しておくことが好ましい。分散安定剤としてのシリコーン系界面活性剤は、スプレー組成物中において竹炭からなる粒子径１３μｍ程度の微粉末を二次凝集させずに安定した状態に保たしめるとともに、竹炭からなる粒子径１３μｍ程度の微粉末の艶出し剤になるものである。分散安定剤としてのシリコーン系界面活性剤の含有量は、０．２０〜１．００ｗｔ％程度とすることが望ましい。分散安定剤としてのシリコーン系界面活性剤の含有量が少な過ぎると竹炭からなる粒子径１３μｍ程度の微粉末の分散性が低下してスプレーノズルの目詰まりが生じ易く、逆に、多過ぎると竹炭からなる粒子径１３μｍ程度の微粉末本来の色が失われるので、いずれも好ましくない。
【００１６】
分散安定剤としてのシリコーン系界面活性剤として、ジメチコンコポリオール等のポリエーテル変性シリコーンを挙げることができる。
【発明の効果】
【００１７】
請求項１〜３のいずれかに記載の薄毛用スプレー組成物によれば、竹炭からなる粒子径１３μｍ程度の微粉末を溶剤および噴射剤とともにスプレー容器からスムーズに噴射させることができ、長時間にわたって頭皮を黒く髪の毛を太く見せることができるという効果がある。また、竹炭からなる粒子径１３μｍ程度の微粉末を頭皮、薄毛に付着させると、竹炭自身の抗菌性、消臭性により、頭皮や頭髪のケアに結び付くという利点を有する。
【００１８】
請求項４または５記載の薄毛用スプレー組成物によれば、竹炭からなる粒子径１３μｍ程度の微粉末が髪に展着しやすく、風雨にも十分耐え得るものとなるという利点を有する。
【００１９】
請求項６または７記載の薄毛用スプレー組成物によれば、竹炭パウダーのみでのスプレー化は竹炭からなる粒子径１３μｍ程度の微粉末の分散性が低下して髪への付着性が悪いのみならず、前記微粉末が舞い易いという欠点を解消することができるという効果がある。
【００２０】
請求項８または９記載の薄毛用スプレー組成物によれば、スプレー組成物中において竹炭からなる粒子径１３μｍ程度の微粉末を二次凝集させずに安定した状態に保たしめるとともに、竹炭からなる粒子径１３μｍ程度の微粉末の艶が失われることがないという効果がある。
【発明を実施するための最良の形態】
【００２１】
以下、本発明の好ましい実施の形態について詳細に説明する。
本発明におけるスプレー組成物には、竹炭からなる粉体であって粒子径が１３μｍ程度、より厳密には、１３．４７μｍの微粉末と溶剤と噴射剤とが含有されている。竹炭からなる粒子径１３μｍ程度の微粉末を溶剤および噴射剤とともにスプレー容器内に充填し、それらをスプレー容器から噴射させることにより、竹炭からなる粒子径１３μｍ程度の微粉末を頭皮、薄毛に吸着させることができ、長時間にわたって頭皮を黒く髪の毛を太く見せることができる。また、竹炭からなる粒子径１３μｍ程度の微粉末を頭皮、薄毛に付着させると、竹炭自身の抗菌性、消臭性により、頭皮や頭髪のケアに結び付く。
【００２２】
溶剤として、噴射剤と相溶性の良い１価アルコールであるエタノールが２５〜３５ｗｔ％程度配合されている。溶剤の含有量が少な過ぎるとスプレーノズルの目詰まりが生じ易くなり、逆に、多過ぎると竹炭からなる粒子径１３μｍ程度の微粉末がべた付く。
【００２３】
噴射剤として、ジメチルエーテルと液化石油ガスの混合物が用いられている。ジメチルエーテルの含有量は６〜２４ｗｔ％程度、液化石油ガスの含有量は３６〜６４ｗｔ％程度である。
【００２４】
ヘアースプレー用の樹脂として、（メタクリロイルオキシエチルカルボキベタイン／メタクリル酸アルキル）コポリマーが１〜５ｗｔ％程度配合されている。この樹脂が適量配合されていると、竹炭からなる粒子径１３μｍ程度の微粉末が髪に展着しやすく、風雨にも十分耐え得るものとなる。
【００２５】
分散剤として、ヤシ脂肪酸ソルビタンが０．２０〜１．００ｗｔ％程度配合されている。竹炭パウダーのみでのスプレー化は竹炭からなる粒子径１３μｍ程度の微粉末の付着性が悪くなるが、上記分散剤を上記の量だけ添加することによりそれを防止することができるとともに、それらを溶剤および噴射剤とともにスプレー容器から目詰まりなくスムーズに噴射することができる。分散剤の含有量が少な過ぎると竹炭からなる粒子径１３μｍ程度の微粉末の分散性が低下して髪への付着性が悪く、逆に、多過ぎると竹炭からなる粒子径１３μｍ程度の微粉末がべた付く。
【００２６】
スプレー組成物の分散安定性を向上させるために、シリコーン系界面活性剤であるジメチコンコポリオールが０．２０〜１．００ｗｔ％程度配合されている。この界面活性剤の含有量が少な過ぎると竹炭からなる粒子径１３μｍ程度の微粉末の分散性が低下してスプレーノズルの目詰まりが生じ易く、逆に、多過ぎると竹炭からなる粒子径１３μｍ程度の微粉末本来の色が失われる。
【００２７】
竹炭からなる粒子径１３μｍ程度の微粉末、溶剤、噴射剤、ヘアースプレー用の樹脂、分散剤および分散安定剤としてのシリコーン系界面活性剤が、上述した量ずつ直径３５ｍｍ、高さ１１０ｍｍのアルミニウム製スプレー容器（内面はコーティングされている）に充填されている。製品の圧力は０．４６ＭＰａ（２５℃）、製品の噴射量は０．８４ｇ／ｓｅｃ（２５℃）である。噴射用のバルブとして正立ブリキ汎用バルブを、スパウトとして正立汎用ボタンを、キャップとして汎用シングルキャップを用いることができる。
【００２８】
なお、竹炭からなる粒子径１３μｍ程度の微粉末をさらに詳細に説明すると、外観は非球状でほとんど無臭の黒色である。微粉末のかさ比重は０．４〜０．７である。微粉末の「外観」、「臭い」および「色」は官能試験に基づいて測定することができ、「粒子径」はレーザ光回折・散乱方式に基づいて粒度分布測定の結果から求めることができる。また、「かさ比重」は容量２００ｃｃのメスシリンダーを用いてタッピング回数１００〜２００回の衝撃で容量２００ｃｃに固めた後重量測定し、容積比から求めることができる。この場合の重量測定は感度１０ｍｇの電子天秤を使用して行うことができる。
【００２９】
一方、酸分解−原子吸光法に基づいて、竹炭からなる粒子径１３μｍ程度の微粉末に含まれる「鉛」を測定してみたところ、１０ｐｐｍ maxであった。また、酸分解−水素化還元−原子吸光法に基づいて、前記微粉末に含まれる「ヒ素」を測定してみたところ、４ｐｐｍ maxであった。